(57)【特許請求の範囲】
【請求項１】
表示部と、
前記表示部のスクロールを行う操作部と、
所定方向に自在に回転するように筐体に取り付けられており、当該回転する方向において所定の間隔ごとに複数の指標が設けられている回転ダイヤル部と、
前記回転ダイヤル部が回転されたことを検出する回転検出部と、
前記回転検出部により検出された回転状態と起動するアプリケーションとを対応付けて記憶する記憶部と、
前記記憶部を参照して前記回転検出部により検出される回転状態に対応するアプリケーションを特定し、特定した当該アプリケーションに対応する表示オブジェクトを選択する表示オブジェクト選択部と、
前記回転ダイヤル部が回転されたときに、所定の待受画面に代えて、前記表示オブジェクト選択部により選択された前記表示オブジェクトを当該回転により変化する指標の動きに合わせて前記表示部に表示する制御部と、を備えることを特徴とする携帯電子機器。
【請求項２】
表示部と、
前記表示部のスクロールを行う操作部と、
所定方向に自在に回転するように筐体に取り付けられており、当該回転する方向において所定の間隔ごとに複数の指標が設けられている回転ダイヤル部と、
前記回転ダイヤル部が回転されたことを検出する回転検出部と、
前記回転検出部により検出された回転状態に対応するアプリケーションを起動するように制御する制御部と、を備え、
前記制御部は、前記回転ダイヤル部が回転されたとき、少なくとも前記回転ダイヤル部により選択されている指標に対応する表示オブジェクトを当該回転ダイヤル部の回転に連動して前記表示部に表示することを特徴とする携帯電子機器。
【請求項３】
前記制御部は、前記回転ダイヤル部が回転されたときに当該回転ダイヤル部が外部に露出している範囲において、少なくとも前記回転ダイヤル部により選択されている指標とその前後に配置されている指標に対応する表示オブジェクトとを、当該回転ダイヤル部の回転に連動して前記表示部に表示することを特徴とする請求項２記載の携帯電子機器。
【請求項４】
前記表示部を有する第１の筐体と、操作部を有する第２の筐体と、ヒンジ機構とにより構成されており、前記ヒンジ機構により前記第１の筐体と前記第２の筐体の状態を相対的に変化させることで当該筐体を開状態と閉状態に変移する構成であり、
前記回転ダイヤル部は、前記ヒンジ機構のヒンジ軸と同一軸に回転自在に取り付けられ、
前記制御部は、前記回転ダイヤル部の回転に連動して、前記表示部に表示されている前記表示オブジェクトを前記ヒンジ軸と直交する方向に移動するように制御することを特徴とする請求項３記載の携帯電子機器。
【発明の詳細な説明】
【技術分野】
【０００１】
本発明は、回転ダイヤル部を有する携帯電子機器に関する。
【背景技術】
【０００２】
携帯電子機器の機能は、通信・通話のみならずテレビやラジオを視聴することもでき多機能化されている。ここで、携帯電子機器においては、テレビ等の他の機能が選択されていない場合には、通信・通話の待受画面がトップ画面として表示され、当該待受画面から所定の操作を行うことにより他の機能を選択するメニュー選択画面に移行し、当該選択メニュー画面においてユーザが所定の操作を行うことにより他の機能の選択を行うことができる。しかし、当該メニュー選択画面には、多数の項目からなる選択メニューが表示されるため、例えば、操作に不慣れなユーザにとっては、このようなメニュー選択画面は使用上の抵抗を感じるものである。
【０００３】
ところで、デジタルカメラにおいては、回転ダイヤルによってメニュー選択を行うものが知られている。この回転ダイヤルには、ムービー機能（動画を記録する機能）や、連写機能（静止画撮影を短時間に複数行う機能）等の撮影作業を補助するメニューが選択可能に割り当てられている（例えば、特許文献１を参照。）。
【０００４】
また、このような回転ダイヤルには、起動する機能に対応する指標（アイコン）が付されている。しかしながら機能の数が多くなるとアイコンが小さくなり、視認性が悪化する問題がある。
【０００５】
また、デジタルカメラにおいて、ダイヤルの回転操作に連動させて、当該ダイヤルに割り当てられているメニューを表示部に表示する技術が提案されている（例えば、特許文献２を参照。）。
【特許文献１】特開２００１−２４５１８９号公報
【特許文献２】特開２００６−１９１３００号公報
【発明の開示】
【発明が解決しようとする課題】
【０００６】
現在、携帯電子機器の一つである携帯電話機においては、デジタルカメラに用いられているような回転ダイヤルによる複数メニューの選択方式は採用されていない。また、携帯電話機には、デジタルカメラにはない特有のアプリケーション（通信・通話機能）が含まれており、また、通信・通話機能以外のアプリケーションを選択し、その後、次のアプリケーションを選択する場合には、通信・通話の待受画面が表示される等の仕様上の相違点も存在する。したがって、特許文献１に示されているような技術を携帯電話機に単に応用しただけでは、携帯電話機の操作上及び使用上不都合を生ずる。
【０００７】
また、携帯電話機等の携帯電子機器の多機能化は進んでおり、ユーザの使用形態により即した機能操作の方法を有したものが求められている。
【０００８】
本発明では、上述のような課題に鑑みてなされたものであり、その目的の一つは、回転ダイヤル部を備えることにより、ユーザの好みに応じて直感的な操作を可能とする携帯電子機器を提供することにある。
【課題を解決するための手段】
【０００９】
（１）本発明に係る携帯電子機器は、上記課題を解決するために、表示部と、前記表示部のスクロールを行う操作部と、所定方向に自在に回転するように筐体に取り付けられており、当該回転する方向において所定の間隔ごとに複数の指標が設けられている回転ダイヤル部と、前記回転ダイヤル部が回転されたことを検出する回転検出部と、前記回転検出部により検出された回転状態と起動するアプリケーションとを対応付けて記憶する記憶部と、前記記憶部を参照して前記回転検出部により検出される回転状態に対応するアプリケーションを特定し、特定した当該アプリケーションに対応する表示オブジェクトを選択する表示オブジェクト選択部と、前記回転ダイヤル部が回転されたときに、所定の待受画面に代えて、前記表示オブジェクト選択部により選択された前記表示オブジェクトを当該回転により変化する指標の動きに合わせて前記表示部に表示する制御部と、を備えることを特徴とする。
【００１０】
（２）また、本発明に係る携帯電子機器は、上記課題を解決するために、表示部と、前記表示部のスクロールを行う操作部と、所定方向に自在に回転するように筐体に取り付けられており、当該回転する方向において所定の間隔ごとに複数の指標が設けられている回転ダイヤル部と、前記回転ダイヤル部が回転されたことを検出する回転検出部と、前記回転検出部により検出された回転状態に対応するアプリケーションを起動するように制御する制御部と、を備え、前記制御部は、前記回転ダイヤル部が回転されたとき、少なくとも前記回転ダイヤル部により選択されている指標に対応する表示オブジェクトを当該回転ダイヤル部の回転に連動して前記表示部に表示することを特徴とする。
【００１１】
（３）また、上記携帯電子機器では、前記制御部は、前記回転ダイヤル部が回転されたときに当該回転ダイヤル部が外部に露出している範囲において、少なくとも前記回転ダイヤル部により選択されている指標とその前後に配置されている指標に対応する表示オブジェクトとを、当該回転ダイヤル部の回転に連動して前記表示部に表示することが好ましい。
【００１２】
（４）また、上記携帯電子機器では、前記表示部を有する第１の筐体と、操作部を有する第２の筐体と、ヒンジ機構とにより構成されており、前記ヒンジ機構により前記第１の筐体と前記第２の筐体の状態を相対的に変化させることで当該筐体を開状態と閉状態に変移する構成であり、前記回転ダイヤル部は、前記ヒンジ機構のヒンジ軸と同一軸に回転自在に取り付けられ、前記制御部は、前記回転ダイヤルの回転に速動して、前記表示部に表示されている前記表示オブジェクトを前記ヒンジ軸と直交する方向に移動するように制御することが好ましい。
【発明の効果】
【００１３】
本発明によれば、ユーザの好みに応じて直感的な操作を可能とする。
【発明を実施するための最良の形態】
【００１４】
以下、本発明の実施の形態について説明する。図１は、本発明に係る携帯電子機器の一例である携帯電話機１の外観図を示す。また、図２は、携帯電話機１の閉状態における表示部側筐体部３から見たときの外観図を示す。また、図３は、携帯電話機１の閉状態における操作部側筐体部２から見たときの外観図を示す。また、図４は、回転ダイヤル部付近の拡大図を示す。また、図５は、回転ダイヤル部の機能を示す図である。なお、以下では、携帯電話機について説明するが、本発明はこれに限定されるものではなく、回転ダイヤル部を有するものであり、なおかつ複数のアプリケーションを独立して起動可能であれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１５】
携帯電話機１は、図１に示すように、操作部側筐体部２と、表示部側筐体部３と、を備えて構成される。操作部側筐体部２は、表面部１０に、操作キー群１１と、携帯電話機１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するためのボタン及び終了指示を行うための終話ボタンを含む入力操作ボタン１４と、各種操作における決定やスクロール等を行う決定操作ボタン１５と、ボリュームコントロール等を行うコントロールボタン１６と、から構成されている。
【００１６】
また、表示部側筐体部３は、表面部２０に、各種情報を表示するためのディスプレイ２１と、通話の相手側の音声を出力する音声出力部２２と、を備えて構成されている。
【００１７】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とが互いに開いた状態（開状態）にしたり、操作部側筐体部２と表示部側筐体部３とが折り畳まれた状態（閉状態）にしたりできる。
【００１８】
なお、図１は、いわゆる折り畳み型の携帯電話機１の形態を示しているが、本発明に係る携帯電話機１の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００１９】
また、ヒンジ機構４が形成されている位置には、ヒンジ軸と一致する軸を回転軸として有し、所定方向に自在に回転するように筐体に取り付けられている回転ダイヤル部４１を備えている。なお、回転ダイヤル部４１の操作及び機能については後述する。
【００２０】
また、携帯電話機１は、図２に示すように、表示部側筐体部３のディスプレイ２１が配置されている裏面側には、所定の情報が表示されるサブディスプレイ２３を備えている。
【００２１】
また、携帯電話機１は、図３に示すように、操作部側筐体部２の操作キー群１１が配置されている裏面側には、被写体を撮像するＣＣＤ（Ｃｈａｒｇｅ  Ｃｏｕｐｌｅｄ  Ｄｅｖｉｃｅ）カメラ等により構成される撮像部１７と、一定の光量を出力する発光部１８とを備えている。
【００２２】
ここで、回転ダイヤル部４１の操作及び機能について説明する。回転ダイヤル部４１は、図４に示すように、ヒンジ機構４の回転軸Ｘに沿って、ユーザの指により所定方向（図４中のａ方向（ヒンジ機構４の回転軸と直交する第１の方向）及びｂ方向（ヒンジ機構４の回転軸と直交する第２の方向））に自在に回転するように筐体に取り付けられている。なお、回転ダイヤル部４１は、図４に示すような構成に限定されず、ユーザの操作によって回転自在な構成であれば良く、回転軸（ヒンジ軸）Ｘと直交する方向の軸に沿って所定方向に自在に回転するような構成等であっても良い。
【００２３】
また、回転ダイヤル部４１には、回転方向において所定の間隔ごとに複数の指標（インディケータやアイコンに相当する）Ｉが付されている。なお、指標Ｉは、例えば、図５に示すように、アプリケーションを選択する際の指標になるようなユーザにとって理解しやすいイメージによって描かれている。
【００２４】
ここで、ユーザによる回転ダイヤル部４１の操作について簡略的に説明する。ユーザは、当該指標Ｉを手掛かりとして、所望するアプリケーションに対応する指標Ｉを選択位置（目印）Ｓまで回転させる。携帯電話機１は、選択位置Ｓ（目印）の隣に静止している指標Ｉに対応するアプリケーションを起動させる。このようにして、回転ダイヤル部４１は、物理的な回転ダイヤルの操作により各種の機能を発揮するメニュー選択を可能とする。
【００２５】
また、回転ダイヤル部４１は、例えば、図５に示すように、ユーザの回転操作によって、無操作時（ニュートラル（Ｎ））を基準として、ａ方向に４５°（ｂ方向に３１５°）回転されることにより、撮像部１７のカメラ機能が起動し、ａ方向に９０°（ｂ方向に２７０°）回転されることにより、メールの機能が起動する。また、回転ダイヤル部４１は、無操作時（（Ｎ））を基準として、ａ方向に１３５°（ｂ方向に２２５°）回転されることにより、カレンダー機能が起動し、ａ方向に１８０°（ｂ方向に１８０°）回転されることにより、ツールメニュー（携帯電話機１における音出力等に関する各種の設定を行うメニュー）が起動する。また、回転ダイヤル部４１は、無操作時（（Ｎ））を基準として、ａ方向に２２５°（ｂ方向に１３５°）回転されることにより、テレビ機能が起動し、ａ方向に２７０°（ｂ方向に９０°）回転されることにより、メモ帳機能が起動し、ａ方向に３１５°（ｂ方向に４５°）回転されることにより、アドレス帳が起動する。
【００２６】
なお、上述した回転ダイヤル部４１の回転角度に応じて割り当てられているメニューは一例であって、これに限定されることは無い。例えば、ユーザ自身が頻繁に使用するメニューを登録可能な構成であっても良いし、また、所望のＷｅｂアドレスを登録しておき、当該Ｗｅｂアドレスを回転ダイヤル部４１により選択することによって、Ｗｅｂブラウザが起動して当該ＷｅｂアドレスのＷｅｂページを閲覧できるような構成であっても良い。また、メニューの数も上述した数（７つ）に限定されるものではない。
【００２７】
また、ユーザは、回転ダイヤル部４１を直接操作することにより、一定条件下において、回転ダイヤル部４１に割り当てられている各種機能を直接的に起動させることができ、従来のようにメインメニューを経由する必要がなく、簡易に所望するアプリケーションを起動することができる。
【００２８】
また、本発明では、図６に示すように、携帯電話機１が開状態の場合において、回転ダイヤル部４１を操作して所定のアプリケーションを選択する際に、回転ダイヤル部４１が回転される状態をアニメーション化して模式的にディスプレイ２１に表示する機能を有している。このような機能を有することにより、回転ダイヤル部４１の操作をディスプレイ２１の表示によってアシストすることができるので、ユーザに対する操作性を向上することができる。なお、図６においては、現在選択位置Ｓ（目印）にかかっている回転ダイヤル部４１の指標Ｉを、その前後の指標よりも大きくなるようにディスプレイ２１に表示している。また、図６中のＹにおいて、回転ダイヤル部４１のみを取り出して拡大して示している。
【００２９】
ここで、上述した機能を実現するための構成について説明する。携帯電話機１は、図７に示すように、所定の情報を表示するディスプレイ２１と、所定の情報を表示するサブディスプレイ２３と、ユーザの操作により回転される回転ダイヤル部４１と、外部の端末と通信を行う通信部６０と、所定の処理を行う処理部７０と、所定容量を有する充電池８０と、充電池８０から供給される電源電圧を所定の電圧に変換し、変換後の電圧を通信部６０や処理部７０等に供給する電源回路部９０と、テーブル１１０を有する記憶部１００と、を備えている。
【００３０】
通信部６０は、所定の使用周波数帯により外部装置と通信を行うメインアンテナ６１と、変調処理又は復調処理等の信号処理を行う通信処理部６２と、を備える。
【００３１】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ６１は、所定の使用周波数帯の他に、第２の使用周波数帯（例えば、２ＧＨｚ）に対応できる、いわゆるデュアルバンド対応型による構成であっても良いし、さらに、第３の使用周波数帯以上にも対応できる複数バンド対応型により構成されていても良い。
【００３２】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。
【００３３】
電源回路部９０は、充電池８０から供給される電源電圧を所定の電圧値に変圧し、変圧後の電源電圧を通信部６０や処理部７０等に供給する。
【００３４】
記憶部１００は、処理部７０にて実行される多数のプログラム及びパラメータや各種テーブル等が記憶される。具体的には、記憶部１００は、後述する制御部７３にて起動、終了、中断等がなされる多数のアプリケーションプログラムや、これら複数のアプリケーションにて使用されるパラメータや、複数のアプリケーションプログラムを動作させるためのＯＳ（Ｏｐｅｒａｔｉｎｇ  Ｓｙｓｔｅｍ）プログラム等を記憶している。さらに、回転検出部７１にて検出される回転状態に対して、起動するアプリケーションの対応関係（図５を参照）及び表示すべき表示オブジェクトの対応関係を示すテーブル１１０を記憶している。また、記憶部１００は、制御部７３の制御により、回転ダイヤルの現在位置を更新し記憶する。すなわち、記憶部１００にデフォルト値として基準位置を設定しておけば、記憶部１００を参照することにより、基準位置からいくつ隣の位置に現在の回転ダイヤル部４１が静止しているのかを把握することができる。
【００３５】
なお、複数のアプリケーションプログラムには、基準アプリケーション、テレビ、カメラ、メール等の携帯電話機１が有するアプリケーションごとのアプリケーションプログラムが含まれる。
【００３６】
処理部７０は、図８に示すように、回転検出部７１と、表示オブジェクト選択部７２と、制御部７３と、を備える。
【００３７】
回転検出部７１は、回転ダイヤル部４１が回転されたときに基準となる位置から各指標までの距離を回転量として検出する。
【００３８】
表示オブジェクト選択部７２は、記憶部１００のテーブル１１０を参照して回転検出部７１により検出される回転量に対応するアプリケーションを特定し、特定した当該アプリケーションに対応する表示オブジェクトを選択する。
【００３９】
制御部７３は、回転ダイヤル部４１が回転されたときに、所定の待受画面に代えて、表示オブジェクト選択部７２により選択された表示オブジェクトを当該回転により変化する指標の動きに合わせて表示部（ディスプレイ２１）に表示する。
【００４０】
なお、本実施例では、回転検出部７１は、回転ダイヤル部４１の角度の変化量を回転量として検出しているが、これに限られず、回転ダイヤル部４１の回転に応じた変化を検出できれば良く、例えば、抵抗率の変化等を回転量として検出しても良い。
【００４１】
このように構成されることにより、本発明では、回転ダイヤル部４１の回転に伴って、当該回転の様子をディスプレイ２１により拡大表示させることができるので、回転ダイヤル部４１による操作性を向上させることができる。
【００４２】
また、処理部７０は、図９に示すように、回転ダイヤル部４１が回転されたことを検出する回転検出部７１と、回転検出部７１により検出された回転状態に対応するアプリケーションを起動するように制御する制御部７３と、を備える構成であっても良い。また、制御部７３は、回転ダイヤル部４１が回転されたとき、少なくとも回転ダイヤル部４１により選択されている指標に対応する表示オブジェクトを当該回転ダイヤル部４１の回転に連動してディスプレイ２１に表示する。
【００４３】
このように構成されることにより、本発明では、例えば、回転ダイヤル部４１にユーザの指が全体にかかってしまったような場合に、回転ダイヤル部４１に付されている指標が隠れてしまい、所望するアプリケーションに対応する指標を選択するのが困難となるが、回転ダイヤル部４１の動きに連動して指標に対応する表示オブジェクトがディスプレイ２１に表示されることにより、視覚的なアシストが行われるので、所望するアプリケーションに対応する指標を選択しやすく、ユーザの操作性を向上することができる。
【００４４】
また、制御部７３は、図９に示す構成において、回転ダイヤル部４１が回転されたときに当該回転ダイヤル部４１が外部に露出している範囲において、少なくとも回転ダイヤル部４１により選択されている指標とその前後に配置されている指標に対応する表示オブジェクトとを、当該回転ダイヤル部４１の回転に連動してディスプレイ２１に表示することが好ましい。
【００４５】
このように構成されることにより、本発明では、実際にユーザの視覚に映る回転ダイヤル部４１の外観的なイメージが模式的にディスプレイ２１に表示される。したがって、本発明は、操作においてユーザに違和感を与えることがない。
【００４６】
また、回転ダイヤル部４１は、ヒンジ機構４のヒンジ軸と同一軸に回転自在に取り付けられている。また、制御部７３は、回転ダイヤル部４１の回転に連動して、前記表示部に表示されている前記表示オブジェクトを前記ヒンジ軸と直交する方向に移動する、すなわち回転ダイヤル部４１に付されている指標Ｉが回転する方向と同一方向に移動するように制御する。
【００４７】
このように構成されることにより、本発明では、回転ダイヤル部４１の回転方向と、ディスプレイ２１に表示される表示オブジェクトのスクロール方向をシンクロさせるので、操作においてユーザに違和感を与えることがない。
【００４８】
最後に、本発明の表示制御について、制御部７３による処理を中心に説明する。携帯電話機１の主電源がＯＮ状態にされると、制御部７３は、まずＯＳプログラムを立ち上げる。
【００４９】
そして、制御部７３は、ＯＳプログラムの管理下で基準アプリケーションプログラムを起動し、基準アプリケーションプログラムに基づいてディスプレイ２１に待受画面を表示する。
【００５０】
その後、制御部７３は、回転ダイヤル部４１の回転の発生を、回転検出部７１の監視により判断する。そして、制御部７３は、回転検出部７１の監視により、回転の発生を判断したときに、最初に記憶部１００にて記憶更新している現在の回転ダイヤル部４１の選択位置を確認する。さらに、表示オブジェクト選択部７２は、テーブル１１０を参照して現在位置に対応する表示オブジェクトを特定する。制御部７３は、特定された表示オブジェクトを待受画面に代えてディスプレイ２１に表示させる。さらに、制御部７３は、次に回転検出部７１から回転のデータを受け取り、この回転方向とその移動量に基づいて、記憶されていた現在位置からの変化として捉え、回転動作に応じてテーブル１１０にて次に表示するべき表示オブジェクトを表示オブジェクト選択部７２により特定し、当該特定された表示オブジェクトをディスプレイ２１に表示する。また、制御部７３は、回転ダイヤル部４１の検出位置が変動する都度、その変動したときの位置を現在位置として記憶部１００の記憶を更新する。
【００５１】
次に、ディスプレイ２１への表示オブジェクトの表示を一つだけではなく、複数行う場合について説明する。上述したように、回転ダイヤル部４１の回転が生じると、表示オブジェクト選択部７２は、記憶部１００を参照して現在位置に対応する表示オブジェクトを特定し、さらに、特定された表示オブジェクトの前後に登録される表示オブジェクトについても特定する（なお、テーブル１１０における表示オブジェクトの登録順序は、回転ダイヤルの指標Ｉとの対応関係と一致している必要が有る。）。制御部７３は、表示オブジェクトが特定されたときに、当該特定された表示オブジェクトをディスプレイ２１に表示する。そして、制御部７３は、回転ダイヤル部４１の回転方向に一致した方向に、テーブル１１０から抽出された表示オブジェクトに変更し、その都度、前後の表示オブジェクトを変更して表示させる。
【００５２】
また、この場合、筐体の隙間から見える回転ダイヤル部４１の指標Ｉの全てをディスプレイに表示させることが好ましい。例えば、図６においてはその構造上、指標Ｉは、「アドレス帳」を中心としてその前後に「メール」と「カメラ」の計３つが見える。このような場合には、制御部７３は、現在位置を記憶部１００から検索したときに、選択位置（目印）Ｓに静止している指標「アドレス帳」が特定できる。そして、制御部７３は、「アドレス帳」に対応する表示オブジェクトと、その前後に登録される表示オブジェクトをテーブル１１０から検索することとなる。上述したように、テーブル１１０上でも指標Ｉの配置順序と連携して登録されているため、表示オブジェクトは「アドレス帳」を中心としてその前後に「メール」と「カメラ」が抽出される。ちなみに、仮に指標Ｉが５つ見える構造であれば、さらに前後の表示オブジェクトを検索して特定し、表示させることで実現可能である。
【００５３】
そして、制御部７３は、これらの表示として、選択位置（目印）Ｓに静止している指標の表示オブジェクト「アドレス帳」を中央に最も大きく表示させ、前後の表示オブジェクト「メール」、「カメラ」を、「アドレス帳」表示オブジェクトの上下に、「アドレス帳」の次に大きく表示させる。このようにすることで、回転ダイヤル部４１上の指標の見え方に近似して遠近感を持たせてディスプレイ２１に表示させることとなり、より直感的な操作をサポートできる。
【００５４】
なお、表示オブジェクトの配置方向は、ヒンジ軸と直交する方向に配することが好ましい。すなわち、ヒンジ軸と略一致する軸を中心として回転する回転ダイヤル部４１の回転方向に一致する方向に表示オブジェクトを配することとなり、やはり直感性を高めることができる。
【００５５】
その後、制御部７３は、回転ダイヤル部４１の回転方向が「メール」又は「カメラ」のいずれの方向であるかを特定し、特定された表示オブジェクトの前後の表示オブジェクトをテーブル１１０から検索し、アニメーションを伴ってディスプレイ２１への表示を更新する。このような表示更新方法（第１の表示更新方法）では、非常にレスポンスの良い表示を行うことができる。
【００５６】
若しくは、他の表示更新方法（第２の表示更新方法）として、制御部７３が回転ダイヤル部４１の回転量を取得し、最終的に表示すべき表示オブジェクトを特定した後、この表示オブジェクトまでに経由する指標に対応する表示オブジェクトを順次スクロール表示させても良い。この場合には、回転ダイヤル部４１の操作よりも少し遅れてから表示が追従するような表示となるが、最終表示を特定するまでの間、表示更新を頻繁に行わずに済ませることもできるため、制御部７３の処理負担を軽減できる。
【００５７】
これらをディスプレイ２１に表示した後、制御部７３は、回転位置の変動の無い状態が所定時間継続したかどうかを判定する。あるいは、制御部７３は、決定操作の入力を監視する。これらが発生したとき、制御部７３は、この時点で中央に表示されていた表示オブジェクトに対応するアプリケーションをテーブル１１０により特定し、基準アプリケーションを終了するとともに特定されたアプリケーションを実行する。また、このときに、制御部７３は、ディスプレイ２１に対し、表示オブジェクトを表示する画面に代えて新たに起動するアプリケーションに基づいた画面を表示するよう制御する。
【００５８】
一方、制御部７３は、入力操作ボタン１４に含まれる終話キー（オンフックキー）の操作も監視し続ける。制御部７３は、終話キー（オンフックキー）の操作が生じると、ＯＳプログラムの管理下において実行していたアプリケーションを終了させてから、基準アプリケーションプログラムを再度起動する。そして、制御部７３は、起動していたアプリケーションの画面から待受画面へと表示を遷移させる。
【００５９】
このようにして、本発明によれば、ユーザは、小さな回転ダイヤルであろうとも回転が生じるごとに指定されるアプリケーションの種類を確実に確認（認識）することができ、直感での操作を容易に行うことができる。
【００６０】
なお、上述した実施形態では、携帯電子機器の一例として携帯電話機を例示したが、本発明の携帯電子機器は、携帯電話機に限定されるものではなく、ＰＤＡ（Ｐｅｒｓｏｎａｌ  Ｄｉｇｉｔａｌ  Ａｓｓｉｓｔａｎｔ）や電子辞書等のその他の携帯電子機器であっても適用可能である。
【図面の簡単な説明】
【００６１】
【図１】本発明に係る携帯電話機の外観を示す図である。
【図２】携帯電話機の閉状態における表示部側筐体部から見たときの外観を示す図である。
【図３】携帯電話機の閉状態における操作部側筐体部から見たときの外観を示す図である。
【図４】回転ダイヤル部付近を拡大したときの図である。
【図５】回転ダイヤル部の機能についての説明に供する図である。
【図６】回転ダイヤル部の回転と表示部の表示態様についての説明に供する図である。
【図７】携帯電話機の機能を示す機能ブロック図である。
【図８】携帯電話機に備えられている処理部の機能を示す機能ブロック図である。
【図９】携帯電話機に備えられている処理部の機能を示す機能ブロック図である。
【符号の説明】
【００６２】
１  携帯電話機
２  操作部側筐体部
３  表示部側筐体部
４  ヒンジ機構
４１  回転ダイヤル部
７０  処理部
７１  回転検出部
７２  表示オブジェクト選択部
７３  制御部
１００  記憶部
１０１  テーブル
【図１】
0005184178.tif 000002
【図２】
0005184178.tif 000003
【図３】
0005184178.tif 000004
【図４】
0005184178.tif 000005
【図５】
0005184178.tif 000006
【図６】
0005184178.tif 000007
【図７】
0005184178.tif 000008
【図８】
0005184178.tif 000009
【図９】
0005184178.tif 000010